(57)【要約】【課題】容易に取り付けることができ、剛性を向上させることができる固定用部材を用いた組立式什器を提供する。【解決手段】組立式什器１００は、複数の支柱１と、前記支柱１の外周に取り付けされる固定用部材３と、前記固定用部材３の外周に嵌合されて前記支柱１に支持される取付部２１と、を備え、前記固定用部材３は、外面がテーパー状に形成されたテーパー部３２と、高さ方向に対して傾斜した開口が形成されてなる開口部３１と、を有する。【選択図】図２
2016101350.tif 000002
【特許請求の範囲】
【請求項１】
複数の支柱と、
前記支柱の外周に取り付けされる固定用部材と、
前記固定用部材の外周に嵌合されて前記支柱に支持される取付部と、
を備え、
前記固定用部材は、
外面がテーパー状に形成されたテーパー部と、
高さ方向に対して傾斜した開口が形成されてなる開口部と、
を有することを特徴とする組立式什器。
【請求項２】
前記開口部は、一方の斜辺の上端部及び他方の斜辺の下端部が、前記他方の斜辺及び前記一方の斜辺とそれぞれ高さ方向で重複する位置に設けられて形成されることを特徴とする請求項１に記載の組立式什器。
【請求項３】
前記固定用部材は、前記開口部の対向部位に薄肉部を有することを特徴とする請求項１または２に記載の組立式什器。
【請求項４】
支柱などの支持棒材の外周に取り付けられ、外周に嵌合する取付部を前記支持棒材に支持させる固定用部材であって、
外面がテーパー状に形成されたテーパー部と、
高さ方向に対して傾斜した開口が形成されてなる開口部と、
を備えることを特徴とする固定用部材。
【発明の詳細な説明】
【技術分野】
【０００１】
本発明は、組立式什器及び組立式什器の棚板等の構成部材を支柱に固定する固定用部材に関する。
【背景技術】
【０００２】
従来、組立式什器の構造の一つとして、４本の支柱と、支柱に支持される棚板と、棚板の角部に設けられた筒状部と、支柱の外周に取り付けされる固定用部材と、を備え、固定用部材の外周に筒状部が嵌合されることによって棚板が支柱に支持固定されるものが知られている。
【０００３】
特許文献１には、２つ割りのブッシュ（固定用部材）が開示され、特許文献２には、上端から下端へ縦方向に伸びて切り欠いた開口を有する平面視Ｃ字状に形成され、外面テーパーを有する棚固定具（固定用部材）が開示されている。
【先行技術文献】
【特許文献】
【０００４】
【特許文献１】特許第３３６８２８１号
【特許文献２】公開実用新案平３−１２０８３８号公報
【発明の概要】
【発明が解決しようとする課題】
【０００５】
しかしながら、特許文献１のような固定用部材の構成では、組み合わせた２つの部品（固定用部材）を支柱に取り付けてから筒状部を固定用部材の外周に嵌め込む作業が手間であった。
【０００６】
特許文献２のような固定用部材では、縦方向に伸びる開口によって、平面視で固定用部材の外周に嵌合された筒状部の内周面と固定用部材の外周面とで当接しない部分が存在し、また、平面視で固定用部材の内周面と支柱の外周面とで当接しない部分が存在することから、支柱と固定用部材の間及び固定用部材と筒状部の間に、平面視で当接しない部分がそれぞれ存在することによって各部における固定力が弱くなるため、支柱と筒状部における固定力が不足して組立式什器全体としての剛性が低下するという問題があった。
【課題を解決するための手段】
【０００７】
本発明は、上述した技術背景に鑑み、容易に取り付けることができ、組立式什器全体としての剛性を向上させることができる固定用部材を用いた組立式什器の提供を目的とする。
【０００８】
即ち、本発明は下記［１］〜［４］に記載の構成を有する。
【０００９】
［１］  複数の支柱と、
前記支柱の外周に取り付けされる固定用部材と、
前記固定用部材の外周に嵌合されて前記支柱に支持される取付部と、
を備え、
前記固定用部材は、
外面がテーパー状に形成されたテーパー部と、
高さ方向に対して傾斜した開口が形成されてなる開口部と、
を有することを特徴とする組立式什器。
【００１０】
［２］  前記開口部は、一方の斜辺の上端部及び他方の斜辺の下端部が、前記他方の斜辺及び前記一方の斜辺とそれぞれ高さ方向で重複する位置に設けられて形成されることを特徴とする前項１に記載の組立式什器。
【００１１】
［３］  前記固定用部材は、前記開口部の対向部位に薄肉部を有することを特徴とする前項１または２に記載の組立式什器。
【００１２】
［４］  支柱などの支持棒材の外周に取り付けられ、外周に嵌合する取付部を前記支持棒材に支持させる固定用部材であって、
外面がテーパー状に形成されたテーパー部と、
高さ方向に対して傾斜した開口が形成されてなる開口部と、
を備えることを特徴とする固定用部材。
【発明の効果】
【００１３】
上記［１］に記載の発明によれば、複数の支柱と、支柱の外周に取り付けされる固定用部材と、固定用部材の外周に嵌合されて支柱に支持される取付部と、を備え、固定用部材は、外面がテーパー状に形成されたテーパー部と、高さ方向に対して傾斜した開口が形成されてなる開口部と、を有するので、固定用部材の開口部を支柱に押し当てて嵌め込むだけの簡単な操作により手間なく容易に支柱に装着させることができる。
【００１４】
開口部が傾斜して形成されているので、取付部及び固定用部材が支柱に取り付けられた状態で平面視した際に、Ｃ字状の固定用部材と比較して開口部の幅寸法が極めて小さく設定され、固定用部材が支柱及び取付部に対してそれぞれ周方向に長い範囲で当接することによって、各部において十分な固定力が得られるため、従来の構造よりも支柱と取付部との固定力が向上して組立式什器全体としての剛性が向上する。
【００１５】
上記［２］に記載の発明によれば、開口部は、一方の斜辺の上端部及び他方の斜辺の下端部が、他方の斜辺及び一方の斜辺とそれぞれ高さ方向で重複する位置に設けられて形成されるので、取付部及び固定用部材が支柱に取り付けられた状態で平面視した際に、固定用部材が支柱及び取付部に対してそれぞれ全周において当接するため、各部においてより強い固定力が得られるようになり、支柱と取付部との固定力が向上して組立式什器全体としての剛性がより向上する。
【００１６】
上記［３］に記載の発明によれば、固定用部材は、開口部の対向部位に薄肉部を有するので、開口部が開口し易くなるため、固定用部材を支柱により嵌め込み易くなる。
【００１７】
上記［４］に記載の発明によれば、支柱などの支持棒材の外周に取り付けられ、外周に嵌合する取付部を支持棒材に支持させるものであって、外面がテーパー状に形成されたテーパー部と、高さ方向に対して傾斜した開口が形成されてなる開口部と、を備えるので、開口部を支持棒材に押し当てて嵌め込むだけの簡単な操作で固定用部材を手間なく容易に支持棒材に装着させることができ、開口部が傾斜して形成されることによって、支持棒材に固定用部材及び取付部を取り付けた状態で平面視すると、Ｃ字状の固定用部材と比較して開口部の幅寸法が極めて小さく設定され、固定用部材が支持棒材及び取付部に対してそれぞれ周方向に長い範囲で当接することによって、従来よりも各部において十分な固定力が得られるため、支持棒材及び取付部との固定力が向上して組立式什器全体としての剛性を向上させることができる。
【図面の簡単な説明】
【００１８】
【図１】本発明の組立式什器について説明するための斜視図である。
【図２】本発明の組立式什器の固定用部材及び取付部を説明するための説明図である。
【図３】本発明の組立式什器の固定用部材及び取付部の支柱への取付状態を説明するための説明図である。
【図４】本発明の組立式什器の固定用部材及び取付部の支柱への取付状態を説明するための説明図である。
【図５】本発明の組立式什器の固定用部材を説明するための斜視図である。
【図６】本発明の組立式什器の固定用部材を説明するための六面図である。
【図７】本発明の組立式什器の支柱及び固定用部材の係合状態を説明するための説明図である。
【図８】本発明の組立式什器の固定用部材の取付け方法を説明する説明図である。
【図９】本発明の組立式什器の固定用部材の別実施形態について説明するための説明図である。
【図１０】本発明の組立式什器における負荷に対する支柱の変位量の変化を示すグラフである。
【発明を実施するための形態】
【００１９】
以下、図面を参照して、本発明の実施形態について説明する。
【００２０】
図１は、組立式什器１００について説明するための斜視図、図２は、組立式什器１００の固定用部材３及び取付部２１を説明するための説明図、図３，４は、組立式什器１００の固定用部材３及び取付部２１の支柱１への取付状態を説明するための説明図、図５は、組立式什器１００の固定用部材３を説明するための斜視図、図６は、組立式什器１００の固定用部材３を説明するための六面図、図７は、組立式什器１００の支柱１及び固定用部材３の係合状態を説明するための説明図、図８は、組立式什器１００の固定用部材３の取付け方法を説明する説明図、図９は、組立式什器の固定用部材の別実施形態について説明するための説明図、図１０は、組立式什器における負荷に対する支柱１の変位量の変化を示すグラフである。
【００２１】
図１は、本発明の実施形態に係る組立式什器１００の一例であり、複数の立設する支柱１が設けられた、スチールなどからなる金属製の組立可能なワゴン状の什器である。
【００２２】
この例では、組立式什器１００は、組立式什器１００の構成部材の１つとして平面寸法が同一の棚板２を３つ有し、この棚板２の４つの角部に４本の支柱１がそれぞれ連結されて構成されている。
【００２３】
以下、図１〜１０に基づいて組立式什器１００について説明する。
【００２４】
支柱１には、例えば、横断面円形状の棒材が用いられ、その外周面１２の高さ方向に複数の係合部１１が所定の間隔（例えば、約２．５ｃｍの等間隔）で設けられている。
【００２５】
支柱１の下部には、キャスター１３が取付けられており、図示するような組立式什器１００が移動可能に構成されている。
【００２６】
係合部１１は、例えば、幅寸法約１ｍｍに設定された環状溝が形成されてなるものである。
【００２７】
支柱１には、４つの支柱１それぞれに着脱可能に取り付けられる棚板２（構成部材）が支持固定されている。
【００２８】
この例では、棚板２は、支柱１の上端部、中間部２１２、下端部のそれぞれ３箇所で水平に取り付けられている。
【００２９】
棚板２の４つの角部には、それぞれ支柱１に支持される取付部２１が一体的に設けられており、当該取付部２１が支柱１に嵌合されることによって棚板２が支柱１に連結されている。
【００３０】
取付部２１は、例えば、取付孔２１１が形成された筒状体であり、棚板２の厚み寸法と略同等の長さ寸法に設定されている。
【００３１】
取付孔２１１は、その内径が支柱１の径よりも僅かに大きい寸法に設定され、取付部２１が支柱１の上部から嵌め込まれて、棚板２を支柱１に支持固定するよう構成される。
【００３２】
図２〜４に示すように、取付孔２１１の内側面は、縦断面視で取付部２１の中間部２１２から両端部２１３にかけて、それぞれ外側に向かって傾斜する傾斜部２１４が形成されている。このように取付孔２１１が構成されていることにより、棚板２を表側及び裏側の何れの面側からでも支柱１に取り付けることができる。
【００３３】
取付孔２１１は、取付部２１の中間部２１２の内径が最も小さく、取付部２１の両端部２１３の内径が最も大きくなるように設定されている。
【００３４】
固定用部材３は、略円筒状に形成され、ナイロンやポリプロピレン、ＡＢＳ樹脂などの合成樹脂からなる。
【００３５】
固定用部材３は、その内径が支柱１の径寸法よりもやや小径に形成されており、外径が取付部２１の傾斜部２１４の傾斜角度と略等しいテーパー状に形成されたテーパー部３２となっている。
【００３６】
この例では、固定用部材３の各寸法は、支柱１の径寸法を基準にして設定され、固定用部材３の高さ寸法Ｈは、例えば、支柱１の径寸法の０．５倍〜２倍の高さ寸法に設定されており、取付部２１の傾斜部２１４の長さ寸法よりも若干長くなるように設定されている。
【００３７】
固定用部材３の外面形状がテーパー状に形成されるので、取付部２１を固定用部材３の上部から嵌合させ易い。
【００３８】
固定用部材３は、テーパー状に形成された外径の最も小さい側が上側として用いられる。
【００３９】
固定用部材３には、その上端部の外側角部に面取り部３５が形成されており、当該面取り部３５が形成されることによって、取付部２１を固定用部材３の上方から嵌め込む際の案内部となり、取付部２１を固定用部材３に嵌め込み易くなる。
【００４０】
固定用部材３には、高さ方向に対して傾斜した開口が形成されてなる開口部３１が設けられており、固定用部材３は、当該開口部３１を支柱１の軸方向に対して平行となるように押し当てられて、固定用部材３の外周に嵌合する取付部２１を支柱１に固定するように嵌め込まれる。
【００４１】
図６に示すように、開口部３１は、他方の斜辺３１２の下端部３１２ｂから軸方向に伸ばした仮想線Ａに対し、一方の斜辺３１１の上端部３１１ａが他方の斜辺３１２側に位置するように構成される。
【００４２】
開口部３１は、一方の斜辺３１１の上端部３１１ａ及び他方の斜辺３１２の下端部３１２ｂが、他方の斜辺３１２及び一方の斜辺３１１とそれぞれ高さ方向で重複する位置に設けられて形成される。
【００４３】
このように開口部３１が形成されることによって、固定用部材３が支柱１に嵌め込まれた状態で平面視或いは底面視した際に、固定用部材３は、幅寸法Ｗ２において重複し、支柱１の外周面１２全体を被覆するように取り付けられていることがわかる。
【００４４】
これにより、取付部２１及び固定用部材３が支柱１に取り付けられた状態で平面視した際に、固定用部材３が支柱１及び取付部２１がそれぞれ全周において当接するため、各部においてより強い固定力が得られるようになり、支柱１と取付部２１との固定力が向上して組立式什器１００全体としての剛性がより向上する。
【００４５】
固定用部材３は、テーパー部３２が設けられていることによって、開口部３１の上端部３１１ａ，３１２ａの厚みが下端部３１１ｂ，３１２ｂの厚みよりも薄くなっており、更に開口部３１の各斜辺３１１，３１２の端部に面取り部３１１ｃ，３１２ｃが形成されて厚みが薄くなっているので、開口部３１に支柱１を押し当てて嵌め込む際に嵌め込み易くなっている。
【００４６】
開口部３１の開口幅寸法Ｗ１は、広過ぎると支柱１に対しての固定力が低下するため極力狭い幅寸法Ｗ１に設定されることが好ましいが、幅寸法Ｗ１が狭過ぎると支柱１に嵌め込む際に嵌め込みにくくなってしまう。
【００４７】
このため、固定用部材３の材質や厚み寸法にも依るが、開口幅寸法Ｗ１が支柱１の径寸法の３５％以上の寸法に設定されると、開口部３１を支柱１にあてがって押し込むだけで、開口部３１が支柱１に対して広がり易く容易に取付けられ、支柱１に対する着脱の容易性を損なうことがないため好ましい。
【００４８】
尚、開口幅寸法Ｗ１は、開口部３１の一方の斜辺３１１と他方の斜辺３１２との間の寸法を意味しており、当該幅寸法Ｗ１の最大寸法は、支柱１に対する固定用部材３の固定力を損なわないため、支柱１の径寸法の５０％以下に設定されることが好ましい。
【００４９】
また、開口部３１の一方の上端部３１１ａ及び他方の下端部３１２ｂが重複する重複幅寸法Ｗ２は、特にその設定範囲が設けられるものではないが、重複幅寸法Ｗ２が長過ぎると、開口部３１を支柱１に押し当てて嵌め込む際に、開口部３１が広がり難いため固定用部材３が支柱１に嵌り込みにくくなり、着脱の容易性に影響する。
【００５０】
このため、固定用部材３の開口部３１は、固定用部材３が支柱１に取り付けられた状態で開口部３１側から正面視した際に、開口部３１の上部及び下部に設けられた２つの鈍角の一方の頂点位置から他方の頂点位置までの左右方向間隔が、支柱１の径寸法よりも短くなり、開口部３１の４つの頂点の全てが視認可能な状態に形成されることが好ましい。
【００５１】
この例では、開口部３１の最左端となる一方の斜辺３１１の下端部３１１ｂ位置から開口部３１の最右端となる他方の斜辺３１２の上端部３１２ａ位置までの左右方向間隔が、支柱１の径寸法よりも短くなるよう形成されている。
【００５２】
固定用部材３の斜辺の傾斜角度αは、この例では、約６６°に設定されており、支柱の径寸法や固定用部材３の高さ寸法Ｈに応じて、着脱の容易性に影響しない範囲で適宜設定されるものである。
【００５３】
固定用部材３は、その内周の長さ方向中間部に、支柱１の係合部１１と係合する被係合部３３が設けられている。
【００５４】
具体的には、被係合部３３は、係合部１１である環状溝と係合する環状突部が内周面に形成されてなる。
【００５５】
被係合部３３が係合部１１に嵌め合わされることによって、支柱１に嵌め込んだ固定用部材３が支柱１に強固に取付固定されることになる。
【００５６】
支柱１は、その外周面１２の高さ方向に複数の係合部１１が設けられ、固定用部材３は、その内側面に係合部１１と係合する被係合部３３が形成されているので、固定用部材３の被係合部３３が支柱１の係合部１１と係合することにより、固定用部材３が支柱１に強固に固定されるようになり、取付部２１をより確実に固定することができる。
【００５７】
固定用部材３は、開口部３１の設けられた側と対向する側に、外周面の肉厚の一部を削って形成された薄肉部３４を有している。
【００５８】
薄肉部３４は、開口部３１が設けられた位置と対向する位置で、高さ方向に一直線に伸びて設けられている。
【００５９】
この例では、薄肉部３４は、半径約２ｍｍの円弧状で高さ方向に一列に刳り抜かれて形成されており、固定用部材３の他の部位よりも最大で約２ｍｍ程度薄肉となっている。
【００６０】
固定用部材３は、開口部３１の対向部位に薄肉部３４を有するので、開口部３１が開口し易くなるため、固定用部材３を支柱１により嵌め込み易くなる。
【００６１】
図８（ａ），（ｂ）に示すように、固定用部材３を支柱１に取り付ける際は、開口部３１の上端部３１１ａ，３１２ａを支柱１の外周面１２に押し当てて押し込むようにして嵌め込むと、少なくとも上端部３１１ａ，３１２ａの厚みが薄くなっているので開口部３１の幅が拡張し易く嵌め込み易いため好ましい。
【００６２】
また、開口部３１の対向側には薄肉部３４が形成されている場合には、更に開口部３１が開き易くなるため、より支柱１を嵌め込み易くなる。
【００６３】
図１０に示すグラフは、組立式什器に負荷をかけた場合の支柱１の変位量の変化を本願の固定用部材３を用いた組立式什器１００及び比較例Ａ，Ｂの組立式什器で比較したものである。
【００６４】
具体的には、図１に示すようなワゴン状の組立式什器１００の各棚板２上に１００ｋｇの錘を載置するなどして荷重をかけ、組立式什器１００の底部を床面に固定した状態で、最上部の棚板２に対して５０ｋｇまでの負荷を変化させて水平方向に与えた際の支柱１の変位量（鉛直方向からの傾き量）を比較している。
【００６５】
負荷に対する支柱の変位量が少ないものほど、組立式什器が組み立てた状態で安定しており、十分な剛性を有していることを表していると言える。
【００６６】
比較例Ａで示す結果は、従来のＣ字状に形成された固定用部材を用いた組立式什器の支柱の変位量の変化を示したものであり、比較例Ｂは２つ割の固定用部材を用いた組立式什器における変位量の変化を示したものである。
【００６７】
グラフからわかるように、本願発明の固定用部材３を用いた組立式什器１００の荷重に対する支柱１の変位量の変化は、比較例Ｂの２つ割りの固定用部材を用いた組立式什器の特性よりも僅かに下回る結果が認められる部分もあるが、負荷が増加した場合であっても比較例Ｂと大きく差が生じることはなく、変化が少ないという結果が得られた。
【００６８】
比較例Ａと本願発明の固定用部材３を用いた組立式什器１００比較すると、負荷を変化させた全ての場合において、本願発明の組立式什器１００の方が安定し、十分な剛性を有するものであると言える。
【００６９】
即ち、本願発明の固定用部材３を用いた組立式什器１００は、組み立てた状態で安定しており、組立式什器が十分な剛性を有したものと言える。
【００７０】
上述したように、開口部３１は、一方の上端部３１１ａ及び他方の下端部３１２ｂが、それぞれ他方の斜辺３１２及び一方の斜辺３１１と高さ方向で重複する位置に設けられて形成される構成が組立式什器１００全体としての剛性がより向上するため好適であるが、他方の斜辺３１２と一方の斜辺３１１が高さ方向で重複しない構成であってもよく、少なくとも開口部３１が高さ方向に対して傾斜した開口が形成されるように構成されるのであればよい。
【００７１】
尚、図９に示すように、他方の斜辺３１２と一方の斜辺３１１が高さ方向で重複しない場合、一方の上端部３１１ａから他方の下端部３１２ｂまでの間の幅寸法Ｗ３は、支柱１の径寸法の２０％以下の幅寸法Ｗ３に設定されることが好ましい。
【００７２】
また、上述したように、一方の上端部３１１ａと他方の下端部３１２ｂが重複する場合には、重複幅寸法Ｗ２は、支柱１の径寸法を基準にして、開口部３１が少なくとも支柱１に嵌め込み可能な寸法に設定されるのであれば良い。
【００７３】
上述では、組立式什器１００がワゴン状であるものとして説明したが、シェルフや固定台などであってもよく、支柱１に構成部材が取り付けられて構成されるものであれば特に限定されるものではない。
【００７４】
取付部２１が設けられた構成部材は、棚板２に限定されるものではなく、取付部２１を介して天板や底板など支柱１に支持固定されるものであれば特に限定されるものではない。
【００７５】
また、複数の支柱１に支持固定されるものだけではなく、１本の支柱１にのみ支持固定される構成部材であってもよい。
【００７６】
上述では、支柱１に設けられた係合部１１が環状溝からなり、且つ被係合部３３が環状突部からなるものと説明したが、この形態に限定されるものではない。
【００７７】
例えば、係合部が環状突部からなり、被係合部に環状溝が形成されてなるのであってもよいし、係合部として取付孔２１１が形成されてなり、被係合部である棒状突部が当該取付孔２１１に係合されるよう構成されるのであってもよく、少なくとも支柱１と固定用部材３とが取付固定可能に構成されているのであればよい。
【００７８】
また、支柱１は、円柱だけでなく、角柱や六角柱など、上述した固定用部材３を嵌め込んで取付部２１を固定可能な支持棒材であれば同様の効果を得られる。
【００７９】
以上説明した組立式什器１００は、複数の支柱１と、支柱１の外周に取り付けされる固定用部材３と、固定用部材３の外周に嵌合されて支柱１に支持される取付部２１と、を備え、固定用部材３は、外面がテーパー状に形成されたテーパー部３２と、高さ方向に対して傾斜した開口が形成されてなる開口部３１と、を有するので、固定用部材３の開口部３１を支柱１に押し当てて嵌め込むだけの簡単な操作により手間なく容易に支柱１に装着させることができる。
【００８０】
開口部３１が傾斜して形成されているので、取付部２１及び固定用部材３が支柱１に取り付けられた状態で平面視した際に、Ｃ字状の固定用部材３と比較して開口部３１の幅寸法が極めて小さく設定され、固定用部材３が支柱１及び取付部２１に対してそれぞれ周方向に長い範囲で当接することによって、各部において十分な固定力が得られるため、従来の構造よりも支柱１と取付部２１との固定力が向上して組立式什器１００全体としての剛性が向上する。
【００８１】
また、上述した本願発明の固定用部材３は、支柱１などの支持棒材の外周に取り付けられ、外周に嵌合する取付部２１を支持棒材に支持させるものであって、外面がテーパー状に形成されたテーパー部３２と、高さ方向に対して傾斜した開口が形成されてなる開口部３１と、を備えるので、開口部３１を支持棒材に押し当てて嵌め込むだけの簡単な操作で固定用部材３を手間なく容易に支持棒材に装着させることができ、開口部３１が傾斜して形成されることによって、支持棒材に固定用部材３及び取付部２１を取り付けた状態で平面視すると、Ｃ字状の固定用部材３と比較して開口部３１の幅寸法が極めて小さく設定され、固定用部材３が支持棒材及び取付部２１に対してそれぞれ周方向に長い範囲で当接することによって、従来よりも各部において十分な固定力が得られるため、支持棒材及び取付部２１との固定力が向上して組立式什器１００全体としての剛性を向上させることができる。
【００８２】
以上説明した実施形態は、本発明の一例に過ぎず、本発明の作用効果を奏する範囲において具体的構成などを適宜変更設計できることは言うまでもない。
【産業上の利用可能性】
【００８３】
本発明は、棚板等の構成部材を備える組立式什器に用いられる。
【符号の説明】
【００８４】
１…支柱（支持棒材）
２…棚板（構成部材）
３…固定用部材
１１…係合部
１２…外周面
２１…取付部
３１…開口部
３２…テーパー部
３３…被係合部
３４…薄肉部
１００…組立式什器
３１１…（一方の）斜辺
３１１ａ…（一方の斜辺の）上端部
３１２…（他方の）斜辺
３１２ｂ…（他方の斜辺の）下端部
【図１】
2016101350.tif 000003
【図２】
2016101350.tif 000004
【図４】
2016101350.tif 000005
【図５】
2016101350.tif 000006
【図６】
2016101350.tif 000007
【図７】
2016101350.tif 000008
【図８】
2016101350.tif 000009
【図９】
2016101350.tif 000010
【図３】
2016101350.tif 000011
【図１０】
2016101350.tif 000012
【手続補正書】
【提出日】平成28年3月4日(2016.3.4)
【手続補正１】
【補正対象書類名】特許請求の範囲
【補正対象項目名】全文
【補正方法】変更
【補正の内容】
【特許請求の範囲】
【請求項１】
複数の支柱と、
前記支柱の外周に取り付けされる固定用部材と、
前記固定用部材の外周に嵌合されて前記支柱に支持される取付部と、
を備え、
前記固定用部材は、
外面がテーパー状に形成されたテーパー部と、
高さ方向に対して傾斜した開口が形成されてなる開口部と、
を有し、
前記開口部は、一方の斜辺の上端部及び他方の斜辺の下端部が、前記他方の斜辺及び前記一方の斜辺とそれぞれ高さ方向で重複する位置に設けられて形成されることを特徴とする組立式什器。
【請求項２】
複数の支柱と、
前記支柱の外周に取り付けされる固定用部材と、
前記固定用部材の外周に嵌合されて前記支柱に支持される取付部と、
を備え、
前記固定用部材は、
外面がテーパー状に形成されたテーパー部と、
高さ方向に対して傾斜した開口が形成されてなる開口部と、
を有し、
前記開口部は、一方の斜辺と他方の斜辺が同じ向きに傾斜した開口が形成されることを特徴とする組立式什器。
【請求項３】
前記開口部は、鋭角をなす一方の斜辺の上端部と鋭角をなす他方の斜辺の下端部との高さ方向に直交する幅方向の間隔が、支柱の径寸法の２０％以下に設定されることを特徴とする請求項２に記載の組立式什器。
【請求項４】
前記固定用部材は、前記開口部の対向部位に薄肉部を有することを特徴とする請求項１〜３のいずれかに記載の組立式什器。
【請求項５】
支柱などの支持棒材の外周に取り付けられ、外周に嵌合する取付部を前記支持棒材に支持させる固定用部材であって、
外面がテーパー状に形成されたテーパー部と、
高さ方向に対して傾斜した開口が形成されてなる開口部と、
を備え、
前記開口部は、一方の斜辺の上端部及び他方の斜辺の下端部が、前記他方の斜辺及び前記一方の斜辺とそれぞれ高さ方向で重複する位置に設けられて形成されることを特徴とする固定用部材。
【請求項６】
支柱などの支持棒材の外周に取り付けられ、外周に嵌合する取付部を前記支持棒材に支持させる固定用部材であって、
外面がテーパー状に形成されたテーパー部と、
高さ方向に対して傾斜した開口が形成されてなる開口部と、
を備え、
前記開口部は、一方の斜辺と他方の斜辺が同じ向きに傾斜した開口が形成されることを特徴とする固定用部材。